(57)【特許請求の範囲】
【請求項１】
被着用者の腰の後ろ側を被覆可能に形成された腰布部と、前記被着用者の下腹部を被覆可能に形成された腹布部と、前記腰布部と前記腹布部とを連結して前記被着用者の股下を被覆可能に形成された股布部とを有する布材を少なくとも一つ備え、
当該少なくとも一つの布材における前記腰布部と前記腹布部とを所定長さに亘り連結する前記股布部の長さ方向と交差する幅方向両端の縁部には、それらの縁部に沿って長尺帯状の伸縮性弾性体がその収縮力に抗した伸張状態で縫着され、且つ当該伸縮性弾性体における長手方向の両端部分が前記股布部における幅方向の内側へ向かって表裏反転するように捩られた状態で縫着されている
ことを特徴とする布おむつ。
【請求項２】
複数の前記布材が重ねられて、各々の布材における前記腰布部同士及び前記腹布部同士を前記股布部の長さ方向で当該股布部からみて遠い側の部位同士で結合しているとともに、
前記複数の布材のうち着用時に被着用者の体に対して近い側になる内側の布材の方が被着用者の体から遠い側になる外側の布材よりも前記股布部同士の長さ方向における寸法が短い
ことを特徴とする請求項１に記載の布おむつ。
【請求項３】
前記複数の布材のうち、前記被着用者に接する内側の布材は吸水性を有し、前記外側の布材は防水性を有する
ことを特徴とする請求項２に記載の布おむつ。
【発明の詳細な説明】
【技術分野】
【０００１】
本発明は、布おむつに関する。
【背景技術】
【０００２】
従来より、洗濯して繰り返し再生利用可能な布おむつとして、例えば特許文献１に開示されるような、布おむつにカバー機能を付加したカバー一体型の布おむつが知られている。このカバー一体型の布おむつは、吸水性を有する吸水布材からなるおむつ本体と、防水性を有する防水布材からなるカバーとを有し、おむつ本体に対してカバーが縫合されることで一体化されている。また、おむつ本体とカバーとは、被着用者の体軸方向に沿う方向の両端部同士でのみ結合されており、体軸方向と垂直な左右方向の両端部では分離しているため、この布おむつは洗濯及び乾燥がしやすくなっている。
【先行技術文献】
【特許文献】
【０００３】
【特許文献１】特開平１１−１１３９５２号公報
【発明の概要】
【発明が解決しようとする課題】
【０００４】
しかしながら、このような特許文献１の布おむつは、被着用者に着用させるために展開状態としたときの全体形状が平面的であり、その上に被着用者を仰向け状態に寝かせて着用させた場合にも被着用者の体に対する密着性が十分には確保されない虞があった。
【０００５】
本発明は、上記の事情に鑑みてなされたものであり、その目的は、被着用者に対する着用待機状態に展開させた場合の全体形状を被着用者の体に合わせた立体的な形状にすることで着用時における被着用者の体に対する密着性を高めることができる布おむつを提供することにある。
【課題を解決するための手段】
【０００６】
上記目的を達成するため、本発明の布おむつは、被着用者の腰の後ろ側を被覆可能に形成された腰布部と、前記被着用者の下腹部を被覆可能に形成された腹布部と、前記腰布部と前記腹布部とを連結して前記被着用者の股下を被覆可能に形成された股布部とを有する布材を少なくとも一つ備え、当該少なくとも一つの布材における前記腰布部と前記腹布部とを所定長さに亘り連結する前記股布部の長さ方向と交差する幅方向両端の縁部には、それらの縁部に沿って長尺帯状の伸縮性弾性体がその収縮力に抗した伸張状態で縫着され、且つ当該伸縮性弾性体における長手方向の両端部分が前記股布部における幅方向の内側へ向かって表裏反転するように捩られた状態で縫着されている、ことを要旨とする。
【０００７】
上記の構成によれば、布おむつにおける股布部の幅方向両側の縁部には、その縁部に沿って長尺帯状の伸縮性弾性体が収縮力に抗した伸張状態で縫着されているので、その布おむつを被着用者に着用させたときには、伸縮性弾性体と共に股布部の縁部が伸縮することにより、股布部が被着用者の体に対して密着するようになる。しかも、伸縮性弾性体は、その長手方向の両端部分が腰布部における幅方向の内側へ向かって表裏反転するように捩られた状態で縫着されているので、その布おむつを被着用者に着用させるべく展開状態にして置いたときには、伸縮性弾性体と共に股布部の縁部が収縮することにより、布おむつの全体形状が被着用者の体に合わせた立体的な形状になる。したがって、被着用者に対する着用待機状態に展開させた場合の全体形状を被着用者の体に合わせた立体的な形状にすることで着用時における被着用者の体に対する密着性を高めることができる。
【０００８】
また、本発明の布おむつは、複数の前記布材が重ねられて、各々の布材における前記腰布部同士及び前記腹布部同士を前記股布部の長さ方向で当該股布部からみて遠い側の部位同士で結合しているとともに、前記複数の布材のうち着用時に被着用者の体に対して近い側になる内側の布材の方が被着用者の体から遠い側になる外側の布材よりも前記股布部同士の長さ方向における寸法が短いことを要旨とする。
【０００９】
この構成によれば、複数の布材のうち、内側の布材のほうが外側の布材よりも股布部の長さ方向における寸法が短くなっている。そのため、こうした内側の布材と外側の布材とを、それぞれの腰布部同士及び腹布部同士が股布部の長さ方向で当該股布部からみて遠い側の部位同士で結合されるようにすると、外側の布材が内側の布材を包み込む方向に湾曲して布おむつの全体形状が立体的となり、被着用者の体に布おむつを密着させることができる。
【００１０】
また、本発明の布おむつは、前記複数の布材のうち、前記被着用者に接する内側の布材は吸水性を有し、前記外側の布材は防水性を有することを要旨とする。
この構成によれば、カバーとおむつが一体となった布おむつにおいて、上記構成の布おむつが奏し得る効果と同様の効果を得ることができる。
【図面の簡単な説明】
【００１１】
【図１】本実施形態における布おむつの装着時の形状を示す斜視図。
【図２】本実施形態における布おむつの展開時の形状を示す斜視図。
【図３】本実施形態における布おむつのレンタルシステムの流れを示した図。
【図４】（ａ）は第１運搬具の表面側を示す平面図、（ｂ）は第１運搬具の裏面側を示す平面図、（ｃ）は第１運搬具の使い方を示す説明図。
【図５】（ａ），（ｂ），（ｃ）は第１運搬具の使い方を示す説明図。
【図６】（ａ）は第２運搬具の表面側を示す平面図、（ｂ）は第２運搬具の裏面側を示す平面図、（ｃ）は第２運搬具の使い方を示す説明図。
【図７】（ａ）は回収容器の斜視図、（ｂ）は底部の平面図、（ｃ）は側面部の展開図、（ｄ）は上枠部材の平面図、（ｅ）は開閉部材の平面図。
【発明を実施するための形態】
【００１２】
以下、本発明をカバー一体型の布おむつに具体化した一実施形態について図１及び図２に基づいて説明する。
図１及び図２に示すように、カバー一体型の布おむつ１１は、被着用者と接するように内側に配置されて吸水性を有する内側の布材としてのおむつ本体１２と、このおむつ本体１２の外側に配置されて防水性を有する外側の布材としてのカバー１３とが重ねられた２層構造になっている。
【００１３】
おむつ本体１２は、着用者に接する側に配置されて透水性を有する図示しない１枚の透水布と、カバー１３と接する側に配置されて吸水性を有する図示しない２枚の吸水布とから構成されている。また、おむつ本体１２は、図１及び図２に示すように、被着用者の腰の後ろを被覆可能に形成された腰布部１４ａと、被着用者の下腹を被覆可能に形成された腹布部１５ａと、腰布部１４ａと腹布部１５ａを所定長さに亘り連結して被着用者の股下を被覆可能に形成された股布部１６ａとを有している。
【００１４】
腰布部１４ａ及び腹布部１５ａにおける被着用者の体軸方向（すなわち、股布部１６ａが腰布部１４ａと腹布部１５ａとを連結する長さ方向）と交差する左右方向（以下、「幅方向」と示す）の両側からは幅方向外側、すなわち左右両側へ向かって突出片１７がそれぞれ形成されている。そして、腰布部１４ａの左右各突出片１７の突出長は腹布部１５ａの左右各突出片１７の突出長よりも大きくなっている。さらに、腰布部１４ａの左右各突出片１７の先端部内面には雄側の面ファスナからなる第１貼着部１８が各々設けられる一方、腹布部１５ａの外面には各第１貼着部１８と対応する雌側の面ファスナからなる第２貼着部１９が設けられている。なお、腹布部１５ａにおける幅方向に沿う端縁部の略中央には、被着用者の臍部と腹布部１５ａの布が接触するのを防ぐために切欠凹部２０が設けられている。
【００１５】
カバー１３は、おむつ本体１２の吸水布と接する側に配置されて防水性を有する図示しない防水布と、布おむつ１１における厚さ方向（すなわち、おむつ本体１２とカバー１３との重ね方向）の一番外側に配置される図示しない表面布とから構成されている。また、図２に示すように、カバー１３は、おむつ本体１２と同様に腰布部１４ｂ、腹布部１５ｂ及び股布部１６ｂを有し、おむつ本体１２とほぼ同形状に形成されているが、おむつ本体１２の布材における股布部１６ａの方がカバー１３の布材における股布部１６ｂよりも長さ方向における寸法が短くなっている。なお、カバー１３の腹布部１５ｂにおける幅方向に沿う端縁部の略中央にも、おむつ本体１２の腹布部１５ａの場合と同様に、切欠凹部２０が設けられている。
【００１６】
このように形成されたおむつ本体１２とカバー１３とは、腰布部１４ａ，１４ｂ同士及び腹布部１５ａ，１５ｂ同士が、股布部１６ａ，１６ｂの長さ方向で股布部１６ａ，１６ｂからみて遠い側の部位同士（すなわち、長さ方向両端部位同士）で縫合される一方、それぞれの股布部１６ａ，１６ｂ同士は縫合されていない。すなわち、この布おむつ１１では、おむつ本体１２とカバー１３とが股布部１６ａ，１６ｂ同士の部分で離間可能となっている。
【００１７】
また、カバー１３の股布部１６ｂにおける幅方向両端の縁部２１には、長尺帯状をなす伸縮性弾性体としての伸縮性布材からなるバイアステープ２２が縁部２１に沿うように縫着されている。このバイアステープ２２は、収縮力が働いた収縮状態での長さが、股布部１６ｂの縁部２１の長さＬの約半分の長さ（Ｌ／２）となるものであって、その収縮力に抗して伸張された伸張状態、すなわち股布部１６ｂの縁部２１の長さＬと略同等の長さに伸張された状態で縁部２１に沿うように縫着されている。
【００１８】
そして更に、その縫着状態において、バイアステープ２２は、その長手方向の両端部分２３が股布部１６ｂにおける幅方向の内側へ向かって表裏反転するように折り込まれた状態で縫着されている。換言すると、バイアステープ２２は、その長手方向の両端部分２３以外の中央の帯状部分が股布部１６ｂの縁部２１に沿って面接触状態で縫着された状態において、その長手方向の両端部分２３だけが股布部１６ｂにおける幅方向の内側へ向かって表裏反転するように捩られた状態で股布部１６ｂの縁部２１に縫着されている。
【００１９】
したがって、このように伸縮性を有するバイアステープ２２が収縮力に抗した伸張状態で且つその長手方向の両端部分２３が内側に向けて捩られた状態で股布部１６ｂの縁部２１に沿って縫着されたことにより、縫着後における股布部１６ｂの縁部２１には、その収縮方向及び捩れ方向にカバー１３を立体的に変形させるギャザーが形成される。しかも、その場合において、カバー１３の内側に腰布部１４ａ，１４ｂ同士及び腹布部１５ａ，１５ｂ同士を長さ方向両端部位同士で縫着されるおむつ本体１２の方が股布部１６ａ，１６ｂの長さ寸法が短いため、カバー１３にはおむつ本体１２から腰布部１４ｂ及び腹布部１５ｂの各長さ方向の端部を起き上がらせる引っ張り力が作用するようになる。
【００２０】
次に、上記のように構成されたカバー一体型の布おむつ１１の使用方法（作用）について説明する。
さて、この布おむつ１１を被着用者に着用させるときには、まず、布おむつ１１をおむつ本体１２の透水布が上側を向くと共に左右の各突出片１７が展開した状態となるようにベッド上などに広げる。そして、被着用者を腰布部１４ａ，１４ｂが被着用者の腰の後ろ側を覆うように布おむつ１１上に位置させ、次に被着用者の股部から股布部１６ａ，１６ｂを通して腹布部１５ａ，１５ｂを前側に引き出し、その引き出した腹布部１５ａ，１５ｂで被着用者の下腹部を被覆させる。なお、このとき腹布部１５ａ，１５ｂは被着用者の臍部が切欠凹部２０内に位置するように被着用者の下腹部に重ねる。そして次に、おむつ本体１２の腰布部１４ａにおける左右両突出片１７の各第１貼着部１８をカバー１３の腹布部１５ｂにおける第２貼着部１９に係止させると、カバー一体型の布おむつ１１が被着用者に装着される。
【００２１】
このとき、カバー１３は、その股布部１６ｂにおける幅方向両端の縁部２１にバイアステープ２２の長手方向の両端部分２３が内側に捩れるように折り込まれて縫合されているため、その捩れ方向に股布部１６ｂの縁部２１が腰布部１４ｂ及び腹布部１５ｂにおける股布部１６ｂとの連結部分を引っ張りつつ反るように形状を変形させる。その結果、カバー一体型の布おむつ１１は、その全体形状が被着用者の体に合わせた内面側が凹んだ立体形状となるように湾曲し、着用時には被着用者の体に密着しやすくなる。また、着用時にはカバー１３の股布部１６ｂの縁部２１に縫着されたバイアステープ２２が伸縮してギャザーが形成されるため、被着用者の足回りへの密着性がより高まる。さらに、おむつ本体１２における股布部１６ａの長さ方向における寸法はカバー１３における股布部１６ｂの長さ方向の寸法よりも短くなっているので、一体型の布おむつ１１はさらに内側に湾曲した立体形状となりやすく、より被着用者の体に密着する。
【００２２】
本実施形態のカバー一体型の布おむつ１１は、洗濯をして繰り返し使用することができるので、新しいおむつを配送し、使用済みのおむつを回収し、洗濯した後、新しいおむつとして配送するレンタル用のおむつとして利用される。
【００２３】
次に、本実施形態における布おむつ１１を利用したレンタルシステムの概要を、図３に示す流れ図に基づいて説明する。
レンタル会社の工場にて洗濯及び乾燥された布おむつ１１は、小さく畳まれて所定の枚数（例えば６枚）が第１運搬具３１（図４及び図５参照）内に収納される（ステップＳ１１）。次に、布おむつ１１を収納した所定個数（例えば６個）の第１運搬具３１が第２運搬具４１（図６参照）内に収容される（ステップＳ１２）。そして次に、布おむつ１１入りの第１運搬具３１を収容した第２運搬具４１と使用後の布おむつ１１を回収するための回収容器５１（図７参照）とが使用者のもとに運搬されて納品される（ステップＳ１３）。そして、納品された一体型の布おむつ１１が使用者により一枚ずつ使用される（ステップＳ１４）。
【００２４】
使用後の布おむつ１１は回収される物品として回収容器５１に入れられ、回収までの所定日数（例えば４日）の間、使用者のもとで保管される（ステップＳ１５）。所定日数が経過した後、使用後の布おむつ１１が入った回収容器５１と、使用前の布おむつ１１を収納していた第１運搬具３１、及びその第１運搬具３１を収容していた第２運搬具４１がレンタル会社により回収される（ステップＳ１６）。そして、レンタル会社の工場において、使用後の布おむつ１１、回収容器５１、第１運搬具３１及び第２運搬具４１が洗濯又は洗浄されて（ステップＳ１７）、洗濯及び乾燥後に再びレンタル用として使用される（ステップＳ１１に戻る）。
【００２５】
次に、上述した本実施形態のレンタルシステムにおいて使用される第１運搬具３１について、図４に基づいて説明する。
図４（ａ）（ｂ）に示すように、第１運搬具３１は、略四角形の布材が２枚重ねられた状態で側縁に沿って縫合されてなるシート状の本体部３２を有している。そして、本体部３２の表面側となる布３３には、図４（ａ）に示すように、雄型のスナップボタン３４ａ、ボタン３５ａ及び平ゴム３６ａが取り付けられており、４つのボタンホール３７ａ〜３７ｄが形成されている。
【００２６】
また、本体部３２の裏面側となる布３８には、図４（ｂ）に示すように表面側の布３３に取り付けられている雄型のスナップボタン３４ａと嵌合する雌型のスナップボタン３４ｂ、２つのボタン３５ｂ，３５ｃ及び平ゴム３６ｂが取り付けられている。そして、図４（ｃ）、図５（ａ）（ｂ）に示すように、シート状の本体部３２を折りたたむことによって袋状に形成され、布おむつ１１を収納する第１運搬具３１が形成される。
【００２７】
このように、第１運搬具３１は１枚のシート状に展開することができ、且つ紐を使用せずに袋状に形成することができるので、洗濯が容易に行え、繰り返して使用することができる。また、図５（ｃ）に示すように、第１運搬具３１は小さく畳まれた使用前の布おむつ１１を収納した状態で、ベビーベッドの柵３９などに括着することができるので、使用場所に近いところに布おむつ１１を収納保管しておくことができる。さらに、収納する品物の形状により、第１運搬具３１を袋状だけでなく他の形状に形成して使用することができる。
【００２８】
次に、上述した本実施形態のレンタルシステムにおいて使用される第２運搬具４１について、図６に基づいて説明する。
図６（ａ）（ｂ）に示すように、第２運搬具４１は、第１運搬具３１の本体部３２よりも大きな略四角形の布材が２枚重ねられた状態で側縁に沿って縫合されてなるシート状の本体部４２を有している。そして、本体部４２の表面側となる布４３には図６（ａ）に示すように雄型の小スナップボタン４４ａ及び４対の大スナップボタン４５ａ〜４５ｈが取り付けられている。そして、環状に形成された取っ手４６が本体部４２を対角線方向に縦断するように取り付けられている。
【００２９】
また、本体部４２の裏面側となる布４７には、図６（ｂ）に示すように表面側の布４３に取り付けられている雄型の小スナップボタン４４ａと嵌合する雌型の小スナップボタン４４ｂ、２対の小スナップボタン４８ａ〜４８ｄ及び２対の大スナップボタン４９ａ〜４９ｄが取り付けられている。そして、図６（ｃ）に示すように、シート状の本体部４２を折りたたむことによって第１運搬具３１を収納して運搬する第２運搬具４１が形成される。第１運搬具３１と同様に、第２運搬具４１はシート状に展開することができ、対応するスナップボタン同士（４４ａと４４ｂ、４５ａと４５ｄ、４５ｂと４５ｃ、４５ｅと４５ｈ、４５ｆと４５ｇ、４９ａと４９ｃ、４９ｂと４９ｄ、４８ａと４８ｃ、４８ｂと４８ｄ）を嵌合させるのみで袋状に形成することができるため、洗濯が容易に行え、繰り返し使用することができる。
【００３０】
次に、上述した本実施形態のレンタルシステムにおいて使用される回収容器５１について、図７に基づいて説明する。
図７（ａ）に示すように、回収容器５１は、平面六角形状に形成された底部材５２と、底部材５２の周縁に沿って環状に立設される側面部材５３と、側面部材５３の上端に支持される六角形状の蓋部材５４とから構成されており、これらは分離できるようになっている。
【００３１】
図７（ｂ）に示すように、底部材５２は、上面に開口部５２ａを有する有底六角形状に形成され、その内底面部５２ｂには周縁に沿って六角環状をなす溝５５が設けられている。この溝５５は、側面部材５３の下端部が差し込まれる溝であり、その溝５５内には、例えば発泡ポリエチレンなどで形成された図示しないシール部材が配設されている。また、底部材５２は、その外周縁に折曲可能な一対の係止板５６ａを有しており、各係止板５６ａには２つの雄型のスナップボタン５７ａ，５８ａが取り付けられていると共に、手の指先を差込可能な凹凸状に形成された取っ手部材５９ａが形成されている。すなわち、この取っ手部材５９ａは、回収容器５１の組み立て状態時に側面部材５３の外側面と面一となる面に、親指以外の各指（人差し指、中指、薬指、小指）の指先を差込可能とする凹部を形成している。
【００３２】
また、図７（ｃ）に示すように、側面部材５３は、７枚の同一長方形状をなす板材６０ａ〜６０ｇがそれらの長辺同士を連結させてなる一枚の矩形板状に形成されているとともに、それら各板材６０ａ〜６０ｇの境界線となる一直線状の折曲線Ｍに沿って折曲可能になっている。また、側面部材５３における各板材６０ａ〜６０ｇの連結方向（図７（ｃ）において左右方向）の両端に配置される板材６０ａと板材６０ｇのうち一方の板材６０ａの表面には４つの雄型のスナップボタン６１ａ〜６４ａが取り付けられている。そして、他方の板材６０ｇの裏面には上記一方の板材６０ａにおける雄型のスナップボタン６１ａ〜６４ａと対になる雌型のスナップボタン６１ｂ〜６４ｂが取り付けられている。
【００３３】
また、上記一方の板材６０ａに連接する隣の板材（図７（ｃ）において左から２番目の板材）６０ｂの長辺方向（縦方向）の両端には略四角形の取っ手孔６５ａ，６５ｂが形成されている。そして、この板材６０ｂの表面上において、上下一対の取っ手孔６５ａ，６５ｂのうち回収容器５１の組み立て状態時に底部材５２側に配置されることになる取っ手孔６５ａの上側近傍位置には、底部材５２の雄型のスナップボタン５７ａ，５８ａと対になる雌型のスナップボタン５７ｂ，５８ｂが取り付けられている。
【００３４】
また、平面視六角形状の回収容器５１の組み立て状態時に板材６０ｂと内面同士が対向することになる板材（図７（ｃ）において右から３番目の板材）６０ｅの長辺方向（縦方向）の両端にも、板材６０ｂの場合と同様に上下一対の取っ手孔６５ａ，６５ｂが形成されている。そして、その板材６０ｅの表面上において、上下一対の取っ手孔６５ａ，６５ｂのうち回収容器５１の組み立て状態時に底部材５２側に配置されることになる取っ手孔６５ａの上側近傍位置にも、底部材５２の雄型のスナップボタン５７ａ，５８ａと対になる雌型のスナップボタン５７ｂ，５８ｂが取り付けられている。そして更に、この板材６０ｅには、その裏面側において上下一対の取っ手孔６５ａ，６５ｂのうち回収容器５１の組み立て状態時に蓋部材５４側に配置されることになる取っ手孔６５ｂの上側近傍位置に、２つの雌型のスナップボタン５７ｃ，５８ｃが取り付けられている。
【００３５】
また、図７（ｄ）（ｅ）に示すように、蓋部材５４は、六角形の枠状に形成された上枠部材６６と、上枠部材６６における六辺のうちの一辺に対して開閉可能に連結される開閉部材６７とから構成されている。上枠部材６６の内面側には、六辺のうちの一辺を除く五辺に沿って連続するフランジ部６８が形成されると共に、そのフランジ部６８の基端部分には上枠部材６６の内周縁に沿って底部材５２における溝５５のシール部材と同様のシール部材を取付けた溝６９が設けられている。
【００３６】
また、上枠部材６６は、その外周縁を構成する六辺のうちフランジ部６８が形成されていない一辺と、この一辺に対向する一辺とからなる互いに対向し合う二辺に対して、底部材５２に設けられた一対の係止板５６ａと同様の折曲可能な一対の係止板５６ｂを有している。そして、それらの係止板５６ｂには、側面部材５３における上側の取っ手孔６５ｂに嵌入可能であって且つ手の指先を差込可能な凹凸状に形成された取っ手部材５９ｂが形成されている。また、上枠部材６６の六辺のうちフランジ部６８が形成されていない一辺と対向する一辺の上端縁には、取っ手部材５９ｂと略同一幅の係止凹部７０が切欠形成されている。
【００３７】
図７（ｅ）に示すように、開閉部材６７は樹脂製の六角形の板状に形成され、上枠部材６６に取着された状態で回収容器５１における天板を構成するように形成されている。開閉部材６７の外周縁を構成する六辺のうちの一辺からは矩形状の連結片７１が折曲可能に延設され、その連結片７１における回収容器５１の組み立て状態時に上枠部材６６の内面に対応する側の面には、側面部材５３における上側の取っ手孔６５ｂの上側近傍位置に設けられた２つの雌型のスナップボタン５７ｃ，５８ｃと対になる雄型のスナップボタン５７ｄ，５８ｄが取付けられている。
【００３８】
また、開閉部材６７の外周縁を構成する六辺のうち連結片７１が延設された一辺と対向する一辺からは上枠部材６６の係止凹部７０に係入可能な摘み片７２が突設されている。さらに、開閉部材６７における天板となる部分の内面には六角環状をなすシール部材７３が取り付けられており、開閉部材６７が摘み片７２を上枠部材６６の係止凹部７０に係止させた閉鎖状態では、このシール部材７３が上枠部材６６側のフランジ部６８に当接してシール構造を形成するようになっている。
【００３９】
次に、これらの回収容器５１の各部品（底部材５２、側面部材５３、蓋部材５４）を組み立てる手順について説明する。
まず、蓋部材５４における上枠部材６６の内側に開閉部材６７の連結片７１を差し込み、雌雄のスナップボタン５７ｃ，５８ｃ，５７ｄ，５８ｄ同士を嵌合することにより、上枠部材６６に開閉部材６７を連結して蓋部材５４を形成する。次に、展開状態の側面部材５３を六角筒状に巻いて両端の板材６０ａと板材６０ｇとを重ねあわせ、両板材６０ａ，６０ｇに取り付けられた４対のスナップボタンをそれぞれ嵌合することにより、側面部材５３を上下方向に六角形状の開口を有する六角筒状に形成する。
【００４０】
次に、六角筒状に形成した側面部材５３の下側開口に底部材５２を嵌めこみ、さらに側面部材５３の取っ手孔６５ａに底部材５２の取っ手部材５９ａを嵌合すると共に、互いに対応する雌雄のスナップボタン５７ａ，５８ａ，５７ｂ，５８ｂ同士を嵌合する。すると、筒形状態にある側面部材５３の下端部が底部材５２の内面の溝５５に差し入れられてシール部材と密着することでシール構造を形成する。そして、この場合において、底部材５２における係止板５６ａの取っ手部材５９ａは、スナップボタン５７ａ，５８ａ，５７ｂ，５８ｂと共に底部材５２を側面部材５３に係止させる係止機能部として機能する。
【００４１】
そして次に、底部材５２の場合と同様に、六角筒状をなす側面部材５３の上側開口に蓋部材５４を嵌合させ、さらに側面部材５３の取っ手孔６５ｂに蓋部材５４の取っ手部材５９ｂを嵌合する。すると、筒形状態にある側面部材５３の上端部が蓋部材５４の内面の溝６９に差し入れられてシール部材と密着することでシール構造を形成する。そして、この場合において、蓋部材５４における係止板５６ｂの取っ手部材５９ｂは、蓋部材５４を側面部材５３に係止させる係止機能部として機能する。その結果、図７（ａ）に示すような、回収容器５１が組み立てられる。
【００４２】
このように組み立てられた回収容器５１は、分解したときには側面部材５３等を平面状に展開可能であるため、洗浄が容易に行え、繰り返して使用することができる。また、回収容器５１は底部材５２と蓋部材５４の内周縁に沿って側面部材５３の上下両端部と密着可能なシール部材が配置されているので、組み立て状態においては密閉性が高くなっており、使用済みのおむつの臭い洩れが緩和される。
【００４３】
以上説明したように、本実施形態のカバー一体型の布おむつ１１は、以下の効果を得ることができる。
（１）カバー１３における股布部１６ｂの幅方向両側の縁部２１には、伸縮性を有するバイアステープ２２が収縮力に抗した伸張状態で縫着されているので、カバー一体型の布おむつ１１を被着用者に着用させたときに、バイアステープ２２と共に股布部１６ｂの縁部２１が伸縮する。そして、バイアステープ２２は、その長手方向の両端部分２３が股布部１６ｂにおける幅方向の内側へ向けて裏表反転するように折り込まれた状態で縫着されている。したがって、カバー一体型の布おむつ１１を展開状態にして置いたときに、バイアステープ２２と共に股布部１６ｂの縁部２１が収縮することにより、布おむつ１１の全体形状が被着用者の体に合わせた立体的な形状になるため、着用時における被着用者の体に対する密着性を高めることができる。
【００４４】
（２）しかも、内側に配置されるおむつ本体１２のほうが外側に配置されるカバー１３よりも股布部１６ａ，１６ｂの長さ方向における寸法が短くなっている。したがって、おむつ本体１２とカバー１３とを、それぞれの腰布部１４ａ，１４ｂと腹布部１５ａ，１５ｂの股布部１６ａ，１６ｂの長さ方向で股布部１６ａ，１６ｂからみて遠い側の部位同士で結合させると、外側のカバー１３が内側のおむつ本体１２を包み込む方向に湾曲して、カバー一体型の布おむつ１１の全体形状が立体的となるため、さらに一層、被着用者の体に布おむつ１１を密着させることができるようになる。
【００４５】
（３）また、布おむつ１１は、内側のおむつ本体１２が吸水性を有する一方で、外側のカバー１３が防水性を有しているため、被着用者に着用させた場合、外側のカバー１３により尿漏れ抑制を図ることができる。
【００４６】
なお、本実施形態のカバー一体型の布おむつ１１は、以下のように変更して具体化することも可能である。
・上記実施形態において、おむつ本体１２は３層構造となっているが、２層以下或いは４層以上であってもよい。また、カバー１３は２層構造となっているが、１層或いは３層以上であってもよい。
【００４７】
・上記実施形態において、カバー１３は防水性を有していないカバーであってもよい。
・上記実施形態において、おむつ本体１２とカバー１３との股布部１６ａ，１６ｂの長さ方向における寸法は同じであってもよい。
【００４８】
・上記実施形態において、カバー１３の股布部１６ｂの縁部２１に加えて、おむつ本体１２の股布部１６ａの縁部にも、それぞれ伸縮性弾性体としてのバイアステープ２２を、同様に収縮力に抗した伸張状態で且つ長手方向の両端部分２３を内側に向けて捩れを有した状態にて縫着した構成としてもよい。このようにすれば、さらに一層、布おむつ１１の全体形状を立体的な形状にし得る。
【００４９】
・上記実施形態において、布おむつ１１は、おむつ本体１２及びカバー１３以外の他の布材を更に重ねた多層の構造にしてもよく、その場合における少なくとも一層の布材における股布部の幅方向両端の縁部に沿って伸縮製弾性体としてのバイアステープ２２が縫着されていればよい。
【００５０】
・上記実施形態において、布おむつ１１は、カバー一体型に限らず、カバー１３がなくて布製のおむつ本体１２だけの布おむつ１１に適用してもよい。なお、その場合、伸縮性を有するバイアステープ２２は、おむつ本体１２における股布部１６ａの幅方向両端の縁部に沿って収縮力に抗した伸縮状態で且つその長手方向の両端部分２３が内側に向けて捩られた状態で縫着される。
【００５１】
・上記実施形態において、おむつ本体１２とカバー１３とは、腰布部１４ａ，１４ｂ、腹布部１５ａ，１５ｂ、及び股布部１６ａ，１６ｂの全ての周縁同士が互いに縫合により一体化されている布おむつ１１であってもよい。
【００５２】
次に、上記実施形態及び変形例から把握できる技術的思想について、それらの効果と共に以下に追記する。
（イ）前記伸縮性弾性体は、前記外側の布材における前記股布部の幅方向両端の縁部に沿って縫着されていることを特徴とする請求項３に記載の布おむつ。
【００５３】
この技術的思想（イ）によれば、その布おむつを展開状態にして置いたときに、外側の布材が内側の布材を包み込むように内側に湾曲した立体的形状になるので、着用時における被着用者の体に対する密着性を更に高めることができる。
【００５４】
（ロ）前記内側の布材は、着用者に接する側に配置されて透水性を有する透水布と、その外側に配置されて吸水性を有する吸水布とから構成されていることを特徴とする請求項３又は上記技術的思想（イ）に記載の布おむつ。
【００５５】
この技術的思想（ロ）によれば、着用者に接する側の布材は尿などを吸水した吸水布と着用者の肌との間に透水布があるので、着用者に不快感を与える虞が少なくなる。
（ハ）展開状態と筒形状態とに変形可能な側面部材と、筒形状態にある前記側面部材の下側開口に嵌合可能な底部材と、筒形状態にある前記側面部材の上側開口に嵌合可能な蓋部材とからなり、前記蓋部材には閉鎖状態から開放状態とされることで物品の投入を可能とする開閉部材が連結されると共に、筒形状態にある前記側面部材の下端部と底部材との間及び筒形状態にある前記側面部材の上端部と蓋部材との間にはシール構造が形成されることを特徴とする回収容器。
【００５６】
この技術的思想（ハ）の回収容器によれば、例えば使用済みの布おむつ１１などの汚れ物品を回収するための保管時に臭い漏れを抑制することができる。
【符号の説明】
【００５７】
１１…布おむつ、１２…布材としてのおむつ本体、１３…布材としてのカバー、１４ａ，１４ｂ…腰布部、１５ａ，１５ｂ…腹布部、１６ａ，１６ｂ…股布部、２１…縁部、２２…伸縮性弾性体としてのバイアステープ、２３…両端部分。
【図１】
0005492533.tif 000002
【図２】
0005492533.tif 000003
【図３】
0005492533.tif 000004
【図４】
0005492533.tif 000005
【図５】
0005492533.tif 000006
【図６】
0005492533.tif 000007
【図７】
0005492533.tif 000008